(57)【要約】  【課題】一体的な背座を備えシンプルな美しさを有する椅子を、簡単な構成で実現する。  【解決手段】背凭れ１と、座２と、前記背凭れ１及び前記座２を支持するとともに背凭れ１と座２との間に介在して幅方向に延伸する横梁３２を有する支持フレーム３とを具備してなり、前記背凭れ１の下端部と前記横梁３２の後面部とを密接または近接させ、かつ、前記座２の後端部と横梁３２の前面部とを密接または近接させている椅子を構成した。  【選択図】図１
2005177182.tif 000002
【特許請求の範囲】
【請求項１】
背凭れと、座と、前記背凭れ及び前記座を支持するとともに背凭れと座との間に介在して幅方向に延伸する横梁を有する支持フレームとを具備してなり、
前記背凭れの下端部と前記横梁の後面部とを密接または近接させ、かつ、前記座の後端部と横梁の前面部とを密接または近接させている椅子。
【請求項２】
背凭れと、座と、前記背凭れ及び前記座を支持するとともに背凭れと座との間に介在して幅方向に延伸する横梁を有する支持フレームとを具備してなり、
前記背凭れの下端部と前記横梁の後面部とを密接または近接させた状態で背凭れを横梁に緊締具を用いて結合し、
かつ、前記座の後端部と横梁の前面部とを密接または近接させた状態で座を支持させている椅子。
【請求項３】
前記緊締具を前記横梁に前方より貫通させて前記背凭れの下端部にねじ込んでいる請求項２記載の椅子。
【請求項４】
前記背凭れの下端部に下方に開口する凹部を形成し、前記緊締具がねじ込まれるねじ穴を有するナット部材を前記凹部内に収容している請求項２または３記載の椅子。
【請求項５】
前記凹部は仕切壁を介して複数に隔てられ幅方向に配列されており、それらの各々に前記ナット部材を収容している請求項４記載の椅子。
【請求項６】
前記支持フレームは、前記横梁に対し固定され該横梁を支持する後脚と、横梁及び後脚より前方に位置する前脚と、横梁及び後脚と前脚とを連結する連結材とを具備するものであり、
前記座を前記連結材上に載置している請求項１、２、３、４または５記載の椅子。
【請求項７】
さらに、前記座の下面及び前記連結材の少なくとも一部を被覆するカバーを連結材の下方より組み付けている請求項６記載の椅子。
【請求項８】
前記背凭れ及び前記座が互いに別体をなす請求項１、２、３、４、５、６または７記載の椅子。
【発明の詳細な説明】
【技術分野】
【０００１】
本発明は、特に会議場やミーティングルーム等で使用される椅子に関する。
【背景技術】
【０００２】
この種の椅子として、パイプ材や樹脂成形材を材料として軽量に作られたものが広汎に流通している。例えば、パイプ材製の左右の背支桿に合成樹脂製の背凭れの両側部を外装しているもの（下記特許文献１を参照）や、背凭れと座とを一体に成形しこれを支持脚に支持させているもの（下記特許文献２を参照）が公知である。
【特許文献１】特開２００３−１１１６４２号公報
【特許文献２】特開平０７−１８４７３８号公報
【発明の開示】
【発明が解決しようとする課題】
【０００３】
背支桿に背凭れを支持させる態様の椅子では、多くの場合、背凭れと座とが別体をなし両者が離間している。従って、背凭れと座との一体感、即ち、背凭れの前面と座の上面とが構成する着座面の連続性を醸成することが難しく、デザイン上の課題となっていた。また、背凭れと座との間に物が落ち込む等の実用上の問題もある。一方で、背凭れと座とを一体に成形しようとすると、その背座を形成する部材（シェル）を製造するための金型が大型化する等の理由により製造コスト面での不利を招くことがある。
【０００４】
以上に鑑みてなされた本発明は、一体的な背座を備えシンプルな美しさを有する椅子を、簡単な構成で実現しようとするものである。
【課題を解決するための手段】
【０００５】
上述した問題を解決すべく、本発明では、背凭れと、座と、前記背凭れ及び前記座を支持するとともに背凭れと座との間に介在して幅方向に延伸する横梁を有する支持フレームとを具備してなり、前記背凭れの下端部と前記横梁の後面部とを密接または近接させ、かつ、前記座の後端部と横梁の前面部とを密接または近接させている椅子を構成した。
【０００６】
このようなものであれば、背凭れと座とを別体とすることができ、その場合にも両者の一体感を醸成することができる。つまり、使用者の身体を支持する着座面に横梁の上面部を表出させつつ、着座面の一体性を高めることができる。背凭れを形成する部材と座を形成する部材とを別個に製造可能で、これらを製造するための金型を小型化できることから、製造コストの抑制にもつながる。さらに、一体的に見える背座の間に横梁が介在しているという、従来にない外観を有する椅子を具現することができる。
【０００７】
より詳しくは、前記背凭れの下端部と前記横梁の後面部とを密接または近接させた状態で、ボルト等の緊締具を用いて背凭れを横梁に結合する。このとき、緊締具を座や背凭れで使用者の視線より隠蔽し、家具としての美観の向上を図ることが可能である。
【０００８】
前記緊締具を前記横梁に前方より貫通させて前記背凭れの下端部にねじ込み、しかる後に座の後端部を横梁の前面部に密接または近接させる構成とすれば、座の後端部で緊締具の頭を、横梁及び背凭れで緊締具の軸部を、それぞれ好適に隠蔽できる。
【０００９】
前記背凭れの下端部に下方に開口する凹部を形成し、前記緊締具がねじ込まれるねじ穴を有するナット部材を前記スロット内に収容しているものとすれば、背凭れを形成する部材にねじ穴を形成する加工が不要となる。加えて、ナット部材自体もまた使用者の視線より隠蔽できる。
【００１０】
横梁と背凭れとの結合を安定なものとするには、幅方向に亘る複数箇所で緊締具を用いた締結を行うことが望ましい。そのためには、幅方向に亘ってナット部材を配置する必要があり、従って幅方向に亘る広範囲に拡張するスロット状の凹部を形成することが求められる。しかしながら、幅方向に亘る広範囲に凹部を形成すると、背凭れの下端部の剛性が弱体化することは否めない。よって、凹部を隔てる仕切壁を該凹部内に設けて、これにより背凭れの下端部の剛性を担保する。
【００１１】
なお、座は横梁に結合させる必要はない。座は背凭れとは異なり平面的な部材であるため、支持フレームにおける横梁以外の部分に載置して支持させることができる。横梁以外の部分で座を支持するものとすれば、背凭れ、座のそれぞれの取付構造を個別化でき、その取付の作業も簡便となる。前記支持フレームが、前記横梁に対し固定され該横梁を支持する後脚と、横梁及び後脚より前方に位置する前脚と、横梁及び後脚と前脚とを連結する連結材とを具備するものであれば、前記座を前記連結材上に載置することができ、横梁と座とを直接的に締結せずともよくなる。そして、座、背凭れの取付構造を簡単なものとでき、組立工程の煩雑化を回避できる。
【００１２】
さらに、前記座の下面及び前記連結材の少なくとも一部を被覆するカバーを連結材の下方より組み付けるものとすれば、美観を一層高められる。
【発明の効果】
【００１３】
以上に詳述した本発明によれば、一体的な背座を備えシンプルな美しさを有する椅子を、簡単な構成で実現可能である。
【発明を実施するための最良の形態】
【００１４】
以下、本発明の一実施形態を、図面を参照して説明する。本実施形態における椅子は、例えば会議場や講演会場、ミーティングルーム等において好適に使用し得るもので、複数をスタッキング可能である。椅子は、図１ないし図６に示すように、背凭れ１と、座２と、背凭れ１及び座２を支持する支持フレーム３とを主要な構成要素とする。
【００１５】
背凭れ１は、例えば樹脂成形品、ダイカスト成形品等として一体成形した背シェルを主体とする。この背シェルに張り地を被せたりクッションを取り付けたりして背凭れ１を構成してもよく、あるいは背シェル自体をそのまま背凭れ１としてもよい。背凭れ１は、着座した者の背中にフィットするような湾曲形状を有する。背凭れ１の下縁は、正面視略部分楕円弧状をなす。そして、図７、図８、図９、図１４等に示すように、徐々に厚みを増した下端部１１に、略垂直のまたは垂直よりやや傾倒している前向面１１ａを設けるとともに、下方に開口する凹部１１ｂを形成している。凹部１１ｂは、椅子の幅方向に亘って延伸するスロット状の溝穴で、前記前向面１１ａの背後に位置し、前向面１１ａに対して略平行に凹んでいる。下端部１１の前向面１１ａには、凹部１１ｂに連通する貫通孔１１ｃを穿ってある。凹部１１ｂ内には少なくとも一の仕切壁１１ｄを設けており、凹部１１ｂを幅方向に沿って複数に区画している。仕切壁１１ｄは、凹部１１ｂの存在により弱体化する背凭れ１の下端部１１の剛性を担保する役割を担う。また、背凭れ１の下端部１１における前向面１１ａの上端縁１１ｅは、該前向面１１ａより若干前方に迫り出している。
【００１６】
座２は、例えば樹脂成形品、ダイカスト成形品等として一体成形した座シェルを主体とする。この座シェルに張り地を被せたりクッションを取り付けたりして座２を構成してもよく、あるいは座シェル自体をそのまま座２としてもよい。座２は、前方と比較して後方が降下した傾斜姿勢をとり、幅方向の中央部が左右両側部より若干沈む平滑な上面を有する。座２の前端部は、湾曲しつつ斜め下向きに延びる。図９、図１０、図１１、図１４等に示すように、座２の後端部２１には、屈曲して下方に延出する垂下壁２１ａを設けている。垂下壁２１ａの後向面２１ｂは、略垂直または垂直よりやや傾倒している。垂下壁２１ａには、後述する支持フレーム３の連結材３４との干渉を避けるための切欠２１ｃを形成してある。また、座２の後端部２１における後向面２１ｂの上端縁２１ｄは、該後向面２１ｂより若干後方に迫り出している。
【００１７】
座２の下面には、複数の構造体を設けている。これらの構造体のうち、左右に対をなし前後方向に延伸するリブ２２は、その幅方向の位置が垂下壁２１ａに形成した切欠２１ｃの位置に対応している。両リブ２２のそれぞれの外方側面からは、座２の下面に対し略平行な支持片２２ａを突出させている。該支持片２２ａは、座２の下面より所定距離下方に離間している。両リブ２２の間には、下面視矩形枠体状をなし両リブ２２よりも大きく下方に突出する位置決め構造体２３が存在する。加えて、両リブ２２の前端付近に、幅方向に延伸する別のリブ２４を設けている。そして、都合３つのリブ２２、２４で包囲される領域に、ねじ穴２５ａを内包するナット部２５を設けてある。ナット部２５もまた座２の下面より下向きに突出しており、該ナット部２５のねじ穴２５ａは座２の上面側には貫通していない。
【００１８】
支持フレーム３は、例えばスチールパイプ材を主体として構築される。図１１、図１２等に示すように、支持フレーム３は、左右両側に配置された一対の後脚３１と、後脚３１間に架け渡されその両端が後脚３１の内方側面にそれぞれ溶接等により接合された横梁３２と、これら横梁３２及び後脚３１より前方に配置された前脚３３と、横梁３２及び後脚３１と前脚３３とを連結する連結材３４とを具備してなる。後脚３１は、略円筒形状をなす部材で、下端より所定寸法上方に変位した部位で前内方に湾曲している。本実施形態の椅子は肘を備えていないものであるが、後脚３１の上端に（装着したキャップ３１ａに替えて）肘を取り付けることが可能である。横梁３２は、中空のパイプ体であり、その上面部３２ａが側面視上方に膨出する湾曲形状をなして前面部３２ｂ及び後面部３２ｃに連続している。前面部３２ｂ、後面部３２ｃは互いに略平行な前向面、後向面となっている。そして、前向面及び後向面を貫く貫通孔３２ｄを穿ってある。該貫通孔３２ｄの位置は、背凭れ１の下端部１１の貫通孔１１ｃの位置に対応する。前脚３３は、略円筒形状のパイプ材を正面視略逆Ｕ字形状をなすように曲げ加工してなる。連結材３４は、前後方向に延伸する略円筒形状のパイプ材で、横梁３２と、前脚３３における幅方向に延伸する部位とを連結する。図示例では、複数の連結材３４で両者を連結している。左右に対をなす連結材３４の離間距離は、座２の下面に設けられた左右のリブ２２の離間距離に略匹敵する。横梁３２と前脚３３とに接合された連結材３４は、側面視座２と同程度に傾斜している。横梁３２の前面部３２ｂと前脚３３との離間距離は、座２の垂下壁２１ａと座２の下面に設けられた前方のリブ２４との離間距離に略匹敵する。加えて、連結材３４と前脚３３との接合部位の入隅と、連結材３４の後方部位の内方側面とに、それぞれブラケット３５を設けている。各ブラケット３５には、貫通孔３５ａを穿ってある。ブラケット３５に形成された貫通孔３５ａの位置は、座２の下面に設けられたナット部２５のねじ穴２５ａの位置に対応する。因みに、後脚３１、前脚３３の下端には、ベースキャップ３６の他、図示しないキャスタ等を装着することができる。
【００１９】
以降、上述した背凭れ１、座２及び支持フレーム３を構成要素とする椅子の組立工程について述べる。手順としては、先に背凭れ１を支持フレーム３に取り付け、しかる後に座２を取り付ける。背凭れ１の取り付けは、図７に示すように、ボルト等の緊締具５を用いて行う。即ち、背凭れ１の下端部１１に設けた前向面１１ａと支持フレーム３の横梁３２の後面部３２ｃとが密接または近接している状態となるように、背凭れ１と支持フレーム３とを緊締具５で締結する。本実施形態では、背凭れ１の下端部１１の前向面１１ａを横梁３２の後面部３２ｃに重ね合わせ、緊締具５を横梁３２に前方より貫通させて背凭れ１の下端部１１にねじ込むものとしている。両者を重ね合わせる際には、背凭れ１の下端部１１における貫通孔１１ｃと横梁３２の前面部３２ｂ及び後面部３２ｃにおける貫通孔３２ｄとを略同軸に位置づける。しかして、これらの貫通孔３２ｄ、１１ｃに緊締具５の軸部を貫通させ、その先端部を背凭れ１の下端部１１における凹部１１ｂ内に導入する。他方、凹部１１ｂ内には、ねじ穴１２ａを有するナット部材１２を予め配置してある。ナット部材１２は、下方より凹部１１ｂ内に収容し得るとともに凹部１１ｂ内に収容したときに使用者の視線より隠蔽される形状に成形された板状体である。既に述べたように、本実施形態では、凹部１１ｂを仕切壁１１ｄにより幅方向に複数に区画しており、複数のナット部材１２がこれらの各々に収容される。各ナット部材１２が有するねじ穴１２ａは、該ナット部材１２を凹部１１ｂ内に収容したときに背凭れ１の下端部１１における貫通孔１１ｃと略同軸となるような位置に形成してある。従って、横梁３２に前方より貫通させた緊締具５の先端部は、背凭れ１の下端部１１における貫通孔１１ｃを経てナット部材１２のねじ穴１２ａにねじ込まれる。結果、横梁３２と背凭れ１とが締結される。背凭れ１をその下端部１１のみを介して支持フレーム３に取り付けており、背凭れ１を支持する背支桿等の部材は不要である。背凭れ１が支持フレーム３に片持ちに支持されており、背凭れ１の下端部１１以外の部位に対して他の部材が係わり合わないため、背凭れ１の外観をシンプルなものにできるのみならず、背凭れ１に荷重を加えることで背凭れ１をしならせて変形させることが可能である。横梁３２と背凭れ１とを締結した状態で、背凭れ１の下端部１１における前向面１１ａが横梁３２の後面部３２ｃに密接または近接し、その上端縁１１ｅが横梁３２の後面部３２ｃより上面部３２ａ側へ若干乗り出した構造となる。
【００２０】
続いて、背凭れ１を取り付けた支持フレーム３に座２を取り付ける。座２の取り付けもまた、図１１に示すように、ボルト等の緊締具６を用いて行う。即ち、座２の後端部２１に設けた後向面２１ｂと支持フレーム３の横梁３２の前面部３２ｂとが密接または近接している状態となるように、座２と支持フレーム３とを緊締具６で締結する。本実施形態では、座２を支持フレーム３の連結材３４及び前脚３３の上に載置し、緊締具６を下方より座２の下面にねじ込むものとしている。座２を載置する際には、座２の下面における左右のリブ２２を連結材３４上に、前方のリブ２４を前脚３３上にそれぞれ載置する。また、垂下壁２１ａに形成された切欠２１ｃの内に、連結材３４を通過させる。このとき、位置決め構造体２３が両連結材３４間に収まり、その外方側面が連結材３４の内方側面に当接または近接して、支持フレーム３に対する座２の位置決めを補助する。座２を支持フレーム３上に載置することで、座２の下面におけるナット部２５のねじ穴２５ａが支持フレーム３のブラケット３５における貫通孔３５ａと略同軸に位置づけられる。しかして、ブラケット３５の貫通孔３５ａに緊締具６の軸部を下方より貫通させ、これをナット部２５のねじ穴２５ａにねじ込むことで、座２と支持フレーム３とが締結される。座２と支持フレーム３とを締結した状態で、座２の垂下壁２１ａの後向面２１ｂが横梁３２の前面部３２ｂに密接または近接し、その上端縁２１ｄが横梁３２の前面部３２ｂより上面部３２ａ側へ若干乗り出した構造となる。
【００２１】
以上で本実施形態の椅子の基本構成が完成するが、さらに座２の下面の少なくとも一部を隠蔽するカバー４を取り付けることが好ましい。図９、図１３等に示すように、カバー４は、底板４１と、底板４１の前縁より立ち上がる前板４２と、底板４１の左右両側縁より立ち上がる側板４３とを有し、上方及び後方に開口する部材である。図示しないが、カバー４の内面には補強のためのリブを設けている。カバー４の側板４３の前方部位には前脚３３との干渉を避けるための切欠４３ａを設ける。カバー４の側板４３の上端には、底板４１に対し略平行に内向きに突出する係合片４３ｂを形成してある。該カバー４は、弾性係合により座２の下面に組み付ける。即ち、図１３に示すように、カバー４に形成した係合片４３ｂを座２の下面に設けた支持片２２ａに上方より係合させることで、カバー４を座２の下面に支持させる。カバー４を組み付けた状態で、カバー４の前板４２は支持フレーム３の前脚３３よりも前方に、側板４３は連結材３４よりも外側方に位置づけられる。また、底板４１の後縁は座２の垂下壁２１ａの直前に（垂下壁２１ａの下端に密接または近接するように）位置づけられる。そして、該カバー４により、支持フレーム３の前脚３３の一部、連結材３４、座２の下面及び垂下壁２１ａの主要部を隠蔽することができる。但し、カバー４を座２に対してではなく支持フレーム３に対して組み付けるものとすることを妨げない。
【００２２】
かかる構成を有する本実施形態の椅子では、垂下壁２１ａを含む座２の後端部２１により背凭れ１と横梁３２とを締結している緊締具５の頭部が隠蔽され、かつ、横梁３２及び背凭れ１の下端部１１により緊締具５の軸部が隠蔽される。並びに、カバー４により座２と支持フレーム３とを締結している緊締具６が隠蔽される。総じて言えば、背凭れ１と支持フレーム３との取付構造、座２と支持フレーム３との取付構造が使用者の視線より好適に隠蔽された、シンプルな外観が実現される。完成している椅子を分解する場合には、上記と逆の手順を実行すればよい。
【００２３】
本実施形態によれば、背凭れ１と、座２と、前記背凭れ１及び前記座２を支持するとともに背凭れ１と座２との間に介在して幅方向に延伸する横梁３２を有する支持フレーム３とを具備してなり、前記背凭れ１の下端部１１と前記横梁３２の後面部３２ｃとを密接または近接させ、かつ、前記座２の後端部２１と横梁３２の前面部３２ｂとを密接または近接させている椅子としたため、背凭れ１と座２とを別体とすることができ、その場合にも両者の一体感を醸成することができる。つまり、背凭れ１の前面と座２の上面とにより構成される着座面に横梁３２の上面部３２ａを表出させつつ、着座面の一体性を高めることができる。背凭れ１を形成する背シェルと座２を形成する座シェルとを別個に製造可能で、これらを製造するための金型を小型化できることから、製造コストの抑制にもつながる。また、背凭れ１のみ、あるいは座２のみを交換するようなことも可能である。さらに、一体的に見える背座の間に横梁３２が介在しているという、従来にない外観を有する椅子を具現することができる。
【００２４】
また、前記背凭れ１の下端部１１と前記横梁３２の後面部３２ｃとを密接または近接させた状態で、ボルト等の緊締具５を用いて背凭れ１を横梁３２に結合しているものであるが、該緊締具５を座２や背凭れ１で使用者の視線より隠蔽して、家具としての美観の向上を図っている。
【００２５】
前記緊締具５を前記横梁３２に前方より貫通させて前記背凭れ１の下端部１１にねじ込み、しかる後に座２の後端部２１を横梁３２の前面部３２ｂに密接または近接させる構成としたため、座２の後端部２１で緊締具５の頭を、横梁３２及び背凭れ１で緊締具５の軸部を、それぞれ好適に隠蔽できる。
【００２６】
前記背凭れ１の下端部１１に下方に開口する凹部１１ｂを形成し、前記緊締具５がねじ込まれるねじ穴１２ａを有するナット部材１２を前記スロット内に収容しているものとしたため、背凭れ１を形成する部材にねじ穴を形成する加工が不要である。ナット部材１２自体もまた、使用者の視線より隠蔽できる。
【００２７】
横梁３２と背凭れ１との結合を安定なものとするべく、幅方向に亘る複数箇所で緊締具５を用いた締結を行っている。そのために、幅方向に広範囲に拡張するスロット状の凹部１１ｂを形成し、幅方向に亘って複数のナット部材１２を配置している。幅方向に亘る広範囲に凹部１１ｂを形成することにより背凭れ１の下端部１１の剛性が弱体化するが、凹部１１ｂを隔てる仕切壁１１ｄを該凹部１１ｂ内に設けているため、その剛性を担保できる。
【００２８】
座２は、横梁３２に結合させる必要がない。支持フレーム３における横梁３２以外の部分で座２を支持するものとしており、背凭れ１の支持フレーム３への取付構造、座２の支持フレーム３への取付構造をそれぞれ個別化でき、取付作業も簡便となる。前記支持フレーム３が、前記横梁３２に対し固定され該横梁３２を支持する後脚３１と、横梁３２及び後脚３１より前方に位置する前脚３３と、横梁３２及び後脚３１と前脚３３とを連結する連結材３４とを具備するものであるため、前記座２を前記連結材３４上に載置することができ、横梁３２と座２とを直接的に締結せずともよくなる。そして、組立工程の煩雑化を回避できる。
【００２９】
加えて、前記座２の下面及び前記連結材３４の少なくとも一部を被覆するカバー４を連結材３４の下方より組み付けているため、美観を一層高められる。
【００３０】
なお、本発明は以上に詳述した実施形態に限られるものではない。特に、図１５の変形例に示すように、前向面を有する背凭れ１の下端部１１ｘをさらに延長し、横梁３２ｘの下面部を回り込ませて横梁３２ｘよりも前方に持ち出すことを妨げない。このときには、座２の後端部２１ｘにおける垂下壁を省き、該後端部２１ｘにおける下面と背凭れ１の下端部１１ｘの延出端１１ｙとを重ね合わせて両者をボルト等の緊締具７により締結することが可能である。
【００３１】
また、図１５（Ｉ）に示すように、背凭れ１の下端部１１ｘと横梁３２ｘとの締結に際して、緊締具５ｘを背凭れ１の後方よりねじ込む態様とすることを妨げない。この場合には、緊締具５ｘを隠蔽する被覆部材１１ｚを背凭れ１の後面側に設けることが好ましい。図１５（II）に示すように、ナット部材にではなく、背凭れ１の下端部１１ｘに直接的に緊締具５ｙをねじ込むようにしても構わない。図１５（III）に示すように、緊締具５ｚを下方よりねじ込むようにしてもよい。上記の如く、背凭れ１と支持フレーム３とを締結する緊締具５ｘ、５ｙ、５ｚの配置は、上記実施形態における態様に限られない。
【００３２】
その他各部の具体的構成は上記実施形態に限られるものではなく、本発明の趣旨を逸脱しない範囲で種々変形が可能である。
【図面の簡単な説明】
【００３３】
【図１】本発明の一実施形態における椅子を示す斜視図。
【図２】同実施形態の椅子を示す正面図。
【図３】同背面図。
【図４】同側面図。
【図５】同上面図。
【図６】同下面図。
【図７】背凭れと支持フレームとの取付構造を示す要部分解斜視図。
【図８】背凭れの下端部を示すＡ−Ａ線断面図（Ａ−Ａ線は図９及び図１４に示す）。
【図９】背凭れと支持フレームとの取付構造を示す要部側断面図。
【図１０】座の下面図。
【図１１】座と支持フレームとの取付構造を示す要部分解斜視図。
【図１２】同実施形態の椅子よりカバーを取り除いた状態を示す下面図。
【図１３】カバーと座との取付構造を示す要部正断面図。
【図１４】図９の一部を拡大した図。
【図１５】本発明の変形例を示す要部側断面図。
【符号の説明】
【００３４】
１…背凭れ
１１…下端部
１１ｂ…凹部
１１ｄ…仕切壁
１２…ナット部材
２…座
２１…後端部
３…支持フレーム
３２…横梁
３２ｂ…前面部
３２ｃ…後面部
４…カバー
５…緊締具
【図１】
2005177182.tif 000003
【図２】
2005177182.tif 000004
【図３】
2005177182.tif 000005
【図４】
2005177182.tif 000006
【図５】
2005177182.tif 000007
【図６】
2005177182.tif 000008
【図７】
2005177182.tif 000009
【図８】
2005177182.tif 000010
【図９】
2005177182.tif 000011
【図１０】
2005177182.tif 000012
【図１１】
2005177182.tif 000013
【図１２】
2005177182.tif 000014
【図１３】
2005177182.tif 000015
【図１４】
2005177182.tif 000016
【図１５】
2005177182.tif 000017